(57)【特許請求の範囲】
【請求項１】
門型に形成された洗車機本体の脚体及び上部ハウジングに洗浄機構及び乾燥機構を設けて、前後に往復走行して車両を洗浄する門型洗車機において、前記乾燥機構はブロワより通ずる送風管に可撓性部材より構成され、円弧形状としたトップブロワノズル、サイドブロワノズルが接続され、前記トップブロワノズル、サイドブロワノズルに、前記送風管より圧送されるエアーにより付勢力に抗してトップブロワノズル、サイドブロワノズルが繰出し可能で、エアーの圧送が停止すると巻取られる巻取りバネを設け、送風時にトップブロワノズル、サイドブロワノズルが繰出されるようにし、トップブロワノズル、サイドブロワノズルには、鉛直方向に第１の開口と、該第１の開口に対して対称に第２の開口及び第３の開口を設けたことを特徴とする門型洗車機。
【発明の詳細な説明】
【０００１】
【発明の属する技術分野】
本発明は、門型の洗車機本体を往復走行させて、車両の洗浄及び乾燥をする門型洗車機に関するものである。
【０００２】
【従来の技術】
かかる門型洗車機は、所定位置に停止した車両に対して洗車機本体を往復走行させながら、洗車機本体の脚体及び上面に各種ブラシ又は噴射ノズルを有する洗浄機構を設けて、水、シャンプーそしてワックス等で洗浄した後に、車両の上面および側面の車両形状に無接触で追従して洗浄液を吹き飛ばす乾燥機構を備えている。
【０００３】
【発明が解決しようとする課題】
しかし、前記門型洗車機では、洗浄のためのブラシ又は噴射ノズルの他に車両形状に追従するように乾燥機構を設けているので、乾燥機構を車両形状に追従するための昇降装置又は車両の形状を認識するためのセンサー等が必要となり、洗車機本体の大型化及びコストが嵩むという問題があった。
【０００４】
本発明はこのような問題に鑑みてなされたものであって、その目的とするところは、風圧によりブロワノズルが繰出し巻取り自在とした乾燥機構を有した門型洗車機を提供することである。
【０００５】
【課題を解決するための手段】
このような問題を解消するために本発明は、門型に形成された洗車機本体の脚体及び上部ハウジングに洗浄機構及び乾燥機構を設けて、前後に往復走行して車両を洗浄する門型洗車機において、前記乾燥機構はブロワより通ずる送風管に可撓性部材より構成され、円弧形状としたトップブロワノズル、サイドブロワノズルが接続され、前記トップブロワノズル、サイドブロワノズルに、前記送風管より圧送されるエアーにより付勢力に抗してトップブロワノズル、サイドブロワノズルが繰出し可能で、エアーの圧送が停止すると巻取られる巻取りバネを設け、送風時にトップブロワノズル、サイドブロワノズルが繰出されるようにし、トップブロワノズル、サイドブロワノズルには、鉛直方向に第１の開口と、該第１の開口に対して対称に第２の開口及び第３の開口を設けたことを要旨とするものである。
【０００６】
本発明によれば、門型に形成された洗車機本体の脚体及び上部ハウジングに洗浄機構及び乾燥機構を設けて、前後に往復走行して車両を洗浄する門型洗車機において、前記乾燥機構はブロワより通ずる送風管に可撓性部材より構成されるトップブロワノズル、サイドブロワノズルが接続され、前記トップブロワノズル、サイドブロワノズルに巻取りバネを設け、送風時にトップブロワノズル、サイドブロワノズルが繰出されるようにしたので、構造が簡単で乾燥機構が小型になり、不使用時はコンパクトに巻取られて水洗い工程、シャンプー工程そしてワックス工程等の邪魔にならない。
【０００７】
そして、前記トップブロワノズル、サイドブロワノズルには、鉛直方向に第１の開口と、該第１の開口に対して対称に第２の開口及び第３の開口を有しているため、第２の開口及び第３の開口からの風圧で車両との間隔を保持できるので、別途車両との距離を測定するセンサーや制御装置等を不要とし、故障等のトラブルを少なくできる。
【０００８】
また、前記トップブロワノズル、サイドブロワノズルは円弧形状としたので、エアー圧を均等にして洗浄液を車両に残すことなく高いブロー効果が得られる。
【０００９】
【発明の実施の形態】
以下、本発明の実施の形態を図面に基づいて説明する。図１、図２に示すように洗車機本体１は門型をしており、走行輪２に支持され一定経路を往復走行するようになっている。
【００１０】
前記洗車機本体１の左右の脚体３とそれを連結する上部ハウジング４にはそれぞれ洗浄機構Ａ、Ｂと後述する乾燥機構を搭載している。
【００１１】
洗車機本体１の上部ハウジング４に設けた乾燥機構は、ブロワ５ａ、５ｂより送風管６ａ、６ｂを介して接続された車両の上面を乾燥させるトップブロワノズル７より構成されている。また、脚体３に設けた乾燥機構は、ブロワ８ａ、８ｂより送風管９ａ、９ｂを介して接続された車両の両面を乾燥させるサイドブロワノズル１０ａ、１０ｂとより構成されている。
【００１２】
そして、前記トップブロワノズル７は中央より両端部に向かって円弧を描いた形状をしており、脚体３の内面に左右に相対向して設けたサイドブロワノズル１０ａ、１０ｂは下端から上端に向かうほど前進した円弧形状をしている。なお、図中符号１１は駆動操作用のキーボードである。
【００１３】
前記洗車機本体１の脚体３及び上部ハウジング４内には洗浄機構Ａ、Ｂと乾燥機構であるトップブロワノズル７、そしてサイドブロワノズル１０ａ、サイドブロワノズル１０ｂが設けられ、前記トップブロワノズル７はブロワ５ａ、ブロワ５ｂに通づる送風管６ａ、送風管６ｂに接続されたガイド部１２と、該ガイド部１２の先端には吹出口を有するノズル部１３とより構成され、前記ガイド部１２とノズル部１３とは車両に接触しても損傷がないようにゴムや布等の可撓性部材で形成されている。
【００１４】
前記ガイド部１２にはトップブロワノズル７を巻取る方向に付勢力が加えられる巻取りバネ１４が取付けられており、ブロワ５ａ、５ｂの駆動に連動して送風管６ａ、６ｂより圧送されるエアーにより巻取りバネ１４の付勢力に抗してトップブロワノズル７が繰出し、エアーの圧送が停止すると巻取られる。
【００１５】
また、ノズル部１３はガイド部１２が繰出し時に車両上面に対して鉛直方向に車体の上面に付着した洗浄水を吹き飛ばす第１の開口であるメイン吹出口１５と該メイン吹出口１５に対称な位置に車体の上面との距離を保持するためのエアーを吹き出す第２の開口及び第３の開口であるサブ吹出口１６ａ、１６ｂが形成されている。
【００１６】
さらに、サイドブロワノズル１０ａ、１０ｂも前記トップブロワノズル７と同様の動作をする構造である。
【００１７】
次に本発明の門型洗車機の動作を図３で説明する。まず車両を洗車機本体１に対して所定位置に停止させてキーボード１１内の開始スイッチを押圧すると、洗浄機構Ａ、Ｂが作動して水、シャンプー、ワックス又はそれらを組み合わせた洗浄液を噴出させる洗浄工程の終了後、乾燥工程に入る。
【００１８】
まず、洗浄工程が終了した時点ではブロワ５ａ、５ｂ、８ａ、８ｂが駆動していないので、巻取りバネ１４の付勢力によって、トップブロワノズル７、サイドブロワノズル１０ａ、１０ｂは巻取られていて待機状態にある（イ）。
【００１９】
そして、ブロワ５ａ、５ｂ、８ａ、８ｂが駆動されて送風管６ａ、６ｂ、９ａ、９ｂよりエアーが圧送されてくると、トップブロワノズル７、サイドブロワノズル１０ａ、１０ｂ内のエアー圧によってガイド部１２が巻取りバネ１４の付勢力に抗して繰出してガイド部１２内のエアーはノズル部１３に形成されたメイン吹出口１５及びサブ吹出口１６ａ、１６ｂより吹き出す。この時、トップブロワノズル６、サイドブロワノズル１０ａ、１０ｂの先端は車両形状に応じて円弧を描いているのでメイン吹出口１５より噴出するエアー圧が車体上面及び側面で均等になり効率が良い（ロ）。
【００２０】
さらに、洗車機本体１が移動してトップブロワノズル７が車両のフロントガラス及び車両のルーフ部に位置すると、サブ吹出口１６ａ又は１６ｂからのエアー圧でノズル部１３が車両に接触する前にトップブロワノズル７は車両と適当な間隔を保持しながらメイン吹出口１５からのエアーにより車両上面に付着した洗浄水を吹き飛ばすので、車両に損傷を及ぼすことを防止する（ハ）。
【００２１】
また、洗車機本体１が初期位置に戻ってブロワ５ａ、５ｂ、８ａ、８ｂの駆動が停止して、ガイド部１２内のエアー圧が無くなると、巻取りバネ１４の付勢力によってトップブロワノズル７、サイドブロワノズル１０ａ、１０ｂが巻取られて待機状態となる。
【００２２】
【発明の効果】
以上説明したように、本発明の門型洗車機は、ブロワの駆動停止に連動してトップブロワノズル及びサイドブロワノズルが繰出し巻取り自在に設けられて、サブ吹出口からのエアーにより車両と無接触で乾燥工程を行うので、トップブロワノズル及びサイドブロワノズルの昇降に関する機器及び車両との距離を測定する機器を別途必要としないので、コンパクトで故障等のトラブルを少なくできる。
【００２３】
また、トップブロワノズル及びサイドブロワノズルの先端は車両の形状に応じて円弧を描いているので、ノズル部から車両上面及び側面に吹出すエアー圧を均等に保持することができる。
【図面の簡単な説明】
【図１】本発明の門型洗車機の実施例を示す正面図である。
【図２】本発明の門型洗車機のトップブロワノズルの拡大断面図である。
【図３】本発明の門型洗車機の動作を示す説明図である。
【符号の説明】
１ 洗車機本体
２ 走行輪
３ 脚体
４ 上部ハウジング
５ａ ブロワ
５ｂ ブロワ
６ａ 送風管
６ｂ 送風管
７ トップブロワノズル
８ａ ブロワ
８ｂ ブロワ
９ａ 送風管
９ｂ 送風管
１０ａ サイドブロワノズル
１０ｂ サイドブロワノズル
１１ キーボード
１２ ガイド部
１３ ノズル部
１４ 巻取りバネ
１５ メイン吹出口
１６ａ サブ吹出口
１６ｂ サブ吹出口
Ａ 洗浄機構
Ｂ 洗浄機構
【図１】
0003704805.tif 000002
【図２】
0003704805.tif 000003
【図３】
0003704805.tif 000004